【手続補正書】
【提出日】平成17年3月10日(2005.3.10)
【手続補正１】
【補正対象書類名】明細書
【補正対象項目名】発明の名称
【補正方法】変更
【補正の内容】
【発明の名称】画像情報処理装置および方法
【手続補正２】
【補正対象書類名】明細書
【補正対象項目名】特許請求の範囲
【補正方法】変更
【補正の内容】
【特許請求の範囲】
【請求項１】
入力画像信号から前記入力画像信号と異なる出力画像信号を形成するようにした画像情報変換装置において、
所定の注目点に対して所定の位置関係にある近傍画素を、入力画像信号から選択する第１の画像データ選択手段と、
上記第１の画像データ選択手段によって選択される画像データから、レベル分布のパターンを検出し、検出した上記パターンに基づいて上記注目点が属する空間クラスを示す第１の空間クラス値を決定する空間クラス検出手段と、
上記第１の空間クラス値を、振幅対称性および／または空間対称性に基づき第２の空間クラス値に変換するクラス値変換手段と、
上記入力画像信号から、上記注目点を含み、上記注目点に対して所定の位置関係にある近傍画素を選択する第２の画像データ選択手段と、
上記第２のクラス値が示すクラスに対応して、予め決定された予測係数データを記憶する記憶手段と、
上記記憶手段に記憶された予測係数データを使用して、上記第２の画像データ選択手段によって得られる画像データに基づいて出力画像信号を推定するための演算処理を行う演算処理手段とを有することを特徴とする画像情報処理装置。
【請求項２】
前記クラス値変換手段は、上記第１の空間クラス値を、振幅対称性および／または空間対称性を同一とする第２の空間クラス値に変換することを特徴とする請求項１に記載の画像情報処理装置。
【請求項３】
入力画像信号から前記入力画像信号と異なる出力画像信号を形成するようにした画像情報変換装置において、
所定の注目点に対して所定の位置関係にある近傍画素を、入力画像信号から選択する第１の画像データ選択手段と、
上記第１の画像データ選択手段によって選択される画像データから、レベル分布のパターンを検出し、検出した上記パターンに基づいて上記注目点が属する空間クラスを示す空間クラス値を決定する空間クラス検出手段と、
上記入力画像信号から、上記入力画像信号内の複数のフレーム内において、上記注目点と所定の位置関係にある近傍画素を選択する第２の画像データ選択手段と、
上記第２の画像データ選択手段によって選択される画像データから、フレーム間差分に基づいて動きを表す動きクラス値を決定する動きクラス検出手段と、
上記空間クラス値と上記動きクラス値とを合成して第１のクラス値を生成するクラス合成手段と、
上記第１のクラス値を、空間対称性および振幅対称性を同一とする第２のクラス値に変換するクラス値変換手段と、
上記入力画像信号から、上記注目点を含み、上記注目点に対して所定の位置関係にある近傍画素を選択する第３の画像データ選択手段と、
上記第２のクラス値が示すクラスに対応して、予め決定された予測係数データを記憶する記憶手段と、
上記記憶手段に記憶された予測係数データを使用して、上記第３の画像データ選択手段によって得られる画像データに基づいて出力画像信号を推定するための演算処理を行う演算処理手段とを有することを特徴とする画像情報処理装置。
【請求項４】
請求項３において、
上記予測係数は、
上記出力画像信号と同一の信号形式を有する所定の画像信号中の真の画素値と、上記第３の画像データ選択手段によって選択された画像データとの線型一次結合の計算値との差を最小とするように定められることを特徴とする画像情報処理装置。
【請求項５】
請求項３において、
上記入力画像信号は、
走査線数が５２５本のインターレス画像信号であり、
出力画像信号は、
走査線数が５２５本のプログレッシブ画像信号であることを特徴とする画像情報処理装置。
【請求項６】
請求項３において、
上記入力画像信号は、
走査線数が５２５本のインターレス画像信号であり、
出力画像信号は、
走査線数が１０５０本のプログレッシブ画像信号であることを特徴とする画像情報処理装置。
【請求項７】
入力画像信号から前記入力画像信号と異なる出力画像信号を形成するようにした画像情報変換方法において、
所定の注目点に対して所定の位置関係にある近傍画素を、入力画像信号から選択する第１の画像データ選択ステップと、
上記第１の画像データ選択ステップによって選択される画像データから、レベル分布のパターンを検出し、検出した上記パターンに基づいて上記注目点が属する空間クラスを示す第１の空間クラス値を決定する空間クラス検出ステップと、
上記第１の空間クラス値を、振幅対称性および／または空間対称性に基づき第２の空間クラス値に変換するクラス値変換ステップと、
上記入力画像信号から、上記注目点を含み、上記注目点に対して所定の位置関係にある近傍画素を選択する第２の画像データ選択ステップと、
上記第２のクラス値が示すクラスに対応して、予め決定された予測係数データを記憶する記憶ステップと、
上記記憶ステップに記憶された予測係数データを使用して、上記第２の画像データ選択ステップによって得られる画像データに基づいて出力画像信号を推定するための演算処理を行う演算処理ステップとを有することを特徴とする画像情報処理方法。
【請求項９】
入力画像信号から前記入力画像信号と異なる出力画像信号を形成するようにした画像情報変換方法において、
所定の注目点に対して所定の位置関係にある近傍画素を、入力画像信号から選択する第１の画像データ選択ステップと、
上記第１の画像データ選択ステップによって選択される画像データから、レベル分布のパターンを検出し、検出した上記パターンに基づいて上記注目点が属する空間クラスを示す空間クラス値を決定する空間クラス検出ステップと、
上記入力画像信号から、上記入力画像信号内の複数のフレーム内において、上記注目点と所定の位置関係にある近傍画素を選択する第２の画像データ選択ステップと、
上記第２の画像データ選択ステップによって選択される画像データから、フレーム間差分に基づいて動きを表す動きクラス値を決定する動きクラス検出ステップと、
上記空間クラス値と上記動きクラス値とを合成して第１のクラス値を生成するクラス合成ステップと、
上記第１のクラス値を、空間対称性および振幅対称性を同一とする第２のクラス値に変換するクラス値変換ステップと、
上記入力画像信号から、上記注目点を含み、上記注目点に対して所定の位置関係にある近傍画素を選択する第３の画像データ選択ステップと、
上記第２のクラス値が示すクラスに対応して、予め決定された予測係数データを記憶する記憶ステップと、
上記記憶ステップに記憶された予測係数データを使用して、上記第３の画像データ選択ステップによって得られる画像データに基づいて出力画像信号を推定するための演算処理を行う演算処理ステップとを有することを特徴とする画像情報処理方法。
【手続補正３】
【補正対象書類名】明細書
【補正対象項目名】０００１
【補正方法】変更
【補正の内容】
【０００１】
【発明の属する技術分野】
この発明は、例えばテレビジョン受像機に用いて好適な画像情報処理装置および方法に関する。
【手続補正４】
【補正対象書類名】明細書
【補正対象項目名】０００４
【補正方法】変更
【補正の内容】
【０００４】
【発明が解決しようとする課題】
従って、この発明の目的は、より少ないクラス数を用いて画像情報変換処理を行うことができる画像情報処理装置および方法を提供することにある。
【手続補正５】
【補正対象書類名】明細書
【補正対象項目名】０００５
【補正方法】変更
【補正の内容】
【０００５】
【課題を解決するための手段】
請求項１の発明は、入力画像信号から前記入力画像信号と異なる出力画像信号を形成するようにした画像情報変換装置において、
所定の注目点に対して所定の位置関係にある近傍画素を、入力画像信号から選択する第１の画像データ選択手段と、
第１の画像データ選択手段によって選択される画像データから、レベル分布のパターンを検出し、検出したパターンに基づいて注目点が属する空間クラスを示す第１の空間クラス値を決定する空間クラス検出手段と、
第１の空間クラス値を、振幅対称性および／または空間対称性に基づき第２の空間クラス値に変換するクラス値変換手段と、
入力画像信号から、注目点を含み、注目点に対して所定の位置関係にある近傍画素を選択する第２の画像データ選択手段と、
第２のクラス値が示すクラスに対応して、予め決定された予測係数データを記憶する記憶手段と、
記憶手段に記憶された予測係数データを使用して、第２の画像データ選択手段によって得られる画像データに基づいて出力画像信号を推定するための演算処理を行う演算処理手段とを有することを特徴とする画像情報処理装置である。
【手続補正６】
【補正対象書類名】明細書
【補正対象項目名】０００６
【補正方法】変更
【補正の内容】
【０００６】
請求項３の発明は、入力画像信号から前記入力画像信号と異なる出力画像信号を形成するようにした画像情報変換装置において、
所定の注目点に対して所定の位置関係にある近傍画素を、入力画像信号から選択する第１の画像データ選択手段と、
第１の画像データ選択手段によって選択される画像データから、レベル分布のパターンを検出し、検出したパターンに基づいて注目点が属する空間クラスを示す空間クラス値を決定する空間クラス検出手段と、
入力画像信号から、入力画像信号内の複数のフレーム内において、注目点と所定の位置関係にある近傍画素を選択する第２の画像データ選択手段と、
第２の画像データ選択手段によって選択される画像データから、フレーム間差分に基づいて動きを表す動きクラス値を決定する動きクラス検出手段と、
空間クラス値と動きクラス値とを合成して第１のクラス値を生成するクラス合成手段と、
第１のクラス値を、空間対称性および振幅対称性を同一とする第２のクラス値に変換するクラス値変換手段と、
入力画像信号から、注目点を含み、注目点に対して所定の位置関係にある近傍画素を選択する第３の画像データ選択手段と、
第２のクラス値が示すクラスに対応して、予め決定された予測係数データを記憶する記憶手段と、
記憶手段に記憶された予測係数データを使用して、第３の画像データ選択手段によって得られる画像データに基づいて出力画像信号を推定するための演算処理を行う演算処理手段とを有することを特徴とする画像情報処理装置である。
【手続補正７】
【補正対象書類名】明細書
【補正対象項目名】０００７
【補正方法】変更
【補正の内容】
【０００７】
請求項７の発明は、入力画像信号から前記入力画像信号と異なる出力画像信号を形成するようにした画像情報変換方法において、
所定の注目点に対して所定の位置関係にある近傍画素を、入力画像信号から選択する第１の画像データ選択ステップと、
第１の画像データ選択ステップによって選択される画像データから、レベル分布のパターンを検出し、検出したパターンに基づいて注目点が属する空間クラスを示す第１の空間クラス値を決定する空間クラス検出ステップと、
第１の空間クラス値を、振幅対称性および／または空間対称性に基づき第２の空間クラス値に変換するクラス値変換ステップと、
入力画像信号から、注目点を含み、注目点に対して所定の位置関係にある近傍画素を選択する第２の画像データ選択ステップと、
第２のクラス値が示すクラスに対応して、予め決定された予測係数データを記憶する記憶ステップと、
記憶ステップに記憶された予測係数データを使用して、第２の画像データ選択ステップによって得られる画像データに基づいて出力画像信号を推定するための演算処理を行う演算処理ステップとを有することを特徴とする画像情報処理方法である。
【手続補正８】
【補正対象書類名】明細書
【補正対象項目名】０００８
【補正方法】変更
【補正の内容】
【０００８】
請求項８の発明は、入力画像信号から前記入力画像信号と異なる出力画像信号を形成するようにした画像情報変換方法において、
所定の注目点に対して所定の位置関係にある近傍画素を、入力画像信号から選択する第１の画像データ選択ステップと、
第１の画像データ選択ステップによって選択される画像データから、レベル分布のパターンを検出し、検出したパターンに基づいて注目点が属する空間クラスを示す空間クラス値を決定する空間クラス検出ステップと、
入力画像信号から、入力画像信号内の複数のフレーム内において、注目点と所定の位置関係にある近傍画素を選択する第２の画像データ選択ステップと、
第２の画像データ選択ステップによって選択される画像データから、フレーム間差分に基づいて動きを表す動きクラス値を決定する動きクラス検出ステップと、
空間クラス値と動きクラス値とを合成して第１のクラス値を生成するクラス合成ステップと、
第１のクラス値を、空間対称性および振幅対称性を同一とする第２のクラス値に変換するクラス値変換ステップと、
入力画像信号から、注目点を含み、注目点に対して所定の位置関係にある近傍画素を選択する第３の画像データ選択ステップと、
第２のクラス値が示すクラスに対応して、予め決定された予測係数データを記憶する記憶ステップと、
記憶ステップに記憶された予測係数データを使用して、第３の画像データ選択ステップによって得られる画像データに基づいて出力画像信号を推定するための演算処理を行う演算処理ステップとを有することを特徴とする画像情報処理方法である。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】